(57)【要約】  本発明は、容器本体１と該容器本体上に配置するための蓋２とを備える圧力容器であって、容器本体および蓋を互いに対してねじることにより、バヨネット式締結のラインに沿って構成される外周ロックセグメント３、４を用いて、容器本体および蓋を互いに取り外し可能にロックすることができ、また、蓋の縁部５および容器本体の縁部６の領域には、容器本体および蓋がロック位置にあるときに圧力が降下しないように容器本体の内部をシールするために周方向シールリングが設けられ、圧力容器が、容器本体に対する蓋の正しい位置決めのための補助装置または支援を含み、位置決め支援が、蓋が容器本体の上端に対して正しい位置にあるときに、上端へ向けて開放し且つ容器本体の縁部６の領域に位置される凹部８内に挿入され得る、蓋の縁部の領域に位置される下方に突出する位置決め要素７を備える、圧力容器に関する。【選択図】図１
2011518630.tif 000002
【特許請求の範囲】
【請求項１】
容器本体（１）と、前記容器本体上に配置するための蓋（２）とを備える圧力容器であって、
前記容器本体および前記蓋を互いに対してねじることにより、バヨネット式キャッチのラインに沿って構成される外周ロックセグメント（３、４）により、前記容器本体（１）および前記蓋（２）を互いに取り外し可能にロックすることができ、
前記蓋の縁部（５）および前記容器本体の縁部（６）の領域には、前記容器本体（１）および前記蓋（２）のロック位置で圧力が降下しないように前記容器本体の内部をシールするために周方向シールリングが設けられ、
当該圧力容器が、前記容器本体（１）に対する前記蓋（２）の正しい位置決めを容易にするための位置決め補助装置または位置決め支援を含む、圧力容器において、
前記位置決め支援は、前記蓋（２）が前記容器本体（１）に対して正しい位置にあるときに、上方へ向けて開放し且つ前記容器本体（１）の縁部（６）の領域に設けられる凹部（８）内に挿入され得る下方に突出する位置決め要素（７）を、前記蓋（２）の縁部（５）の領域に有することを特徴とする、圧力容器。
【請求項２】
前記位置決め要素（７）が、例えば蓋（２）の縁部（５）と一体に形成される下方に突出する位置決めラグ（７’）の形状を成すことを特徴とする、請求項１に記載の圧力容器。
【請求項３】
前記凹部（８）が前記容器本体（１）のハンドル（１１）に形成されることを特徴とする、請求項１または２に記載の圧力容器。
【請求項４】
前記容器本体（１）の前記凹部（８）が、位置決め要素（７）、特に位置決めラグ（７’）を受けるのに適するスロット（８’）の形状を成すことを特徴とする、請求項１〜３のいずれか一項に記載の圧力容器。
【請求項５】
前記位置決め要素（７）が、ごく僅かな遊びを径方向に伴って前記凹部（８）内に嵌まり込むことを特徴とする、請求項１〜４のいずれか一項に記載の圧力容器。
【請求項６】
前記位置決め要素（７）を前記凹部（８）内に上側から直接に、または斜めに挿入できることを特徴とする、請求項１〜５のいずれか一項に記載の圧力容器。
【請求項７】
前記凹部（８）が、前記位置決め要素（７）のためのストッパ（９）を形成するために周方向の端部が閉じられることを特徴とする、請求項１〜６のいずれか一項に記載の圧力容器。
【請求項８】
前記位置決め要素（７）および前記凹部（８）が、適合する表面領域（１０）、例えば色合わせされた表面領域（１０）を有することを特徴とする、請求項１〜６のいずれか一項に記載の圧力容器。
【発明の詳細な説明】
【技術分野】
【０００１】
本発明は、容器本体と該容器本体上に配置するための蓋とを備える圧力容器であって、容器本体および蓋を互いに対してねじることにより、バヨネット式締結のラインに沿って形成される外周ロックセグメントを用いて、容器本体および蓋を互いに取り外し可能にロックすることができ、蓋の縁部および容器本体の縁部の領域には、容器本体および蓋がロック位置にあるときに圧力が降下しないように容器本体の内部をシールするために周方向シールリングが設けられ、該圧力容器が、容器本体に対する蓋の正しい位置決めのための補助装置を含む、圧力容器に関する。
【背景技術】
【０００２】
かかる圧力容器は、家庭用圧力鍋としてしばしば使用される。該圧力鍋と共に使用されるバヨネット式ロックシステムを用いると、経験のないユーザは、また、経験のあるユーザであっても、時として、蓋をポットに対して正確に配置して、その後の回転移動中にバヨネット式ロックシステムが確実に閉じることができるように蓋を固定することに関して問題を有する。容器本体に対する蓋の正確な位置決めのための方向付け支援として、円や矢印などの蓋上のシンボルが知られており、これらのシンボルは、通常、ポットハンドル上の類似のシンボルの形態を成すそれらの対応物を有する。しかしながら、この視覚的支援は、ポットに対する蓋の配置を容易にすることに関して価値がごく限られている。
【発明の概要】
【発明が解決しようとする課題】
【０００３】
したがって、本発明の目的は、経験のないユーザにおいてさえも簡単なロック操作を確保するために圧力容器のバヨネット式ロックシステムのための更に有効な位置決め・固定支援を提供することである。容器本体の縁部に対する蓋の不正確な位置決め、握持、または、引っかかりは避けられるべきである。
【課題を解決するための手段】
【０００４】
この目的は、位置決め支援が、蓋が正しい位置にあるときに上方へ向けて開放し且つ容器本体の縁部の領域に位置される凹部内に挿入され得る、下方に突出する位置決め要素を蓋の縁部の領域に備える、前述した圧力容器によって達成される。
【０００５】
したがって、蓋を容器本体上に配置すると、特定の位置だけを使用することができ、この位置から、（セグメントの数にかかわりなく、また、容器本体の公称直径にかかわりなく）蓋を容器本体に対してねじることによりロック操作を容易に且つ確実に始めることができる。ユーザには、視覚的支援が与えられるだけでなく、２つの構成要素を互いに対してねじることにより対応する容器セグメントと蓋セグメントとがロックプロセスを開始するために採るべき正確な初期位置で、容器本体に対する蓋の機械的な固定が与えられる。
【０００６】
位置決め要素の形状は、理想的には、凹部の幾分小さい形状に対応する。したがって、蓋は、高さだけでなく理想的な径方向位置でも容器本体に対して事前固定され、それにより、その後、下方へのスライド動作により、蓋が容器セグメントの位置をほぼ自動的に突き止める。凹部内への位置決め要素の挿入により、蓋が容器本体に対して完全に固定される。事前固定ステップの後、蓋がそれ自体の重さにより容器本体上の適切なロック位置へ落ち込む。したがって、位置決め要素と凹部とを備える位置決め支援は、バヨネット式ロック技術を使用して圧力容器の簡単な閉塞のための基盤を与える。
【０００７】
また、位置決め要素および凹部を多くの異なる方法で技術的に構成することができる。
【０００８】
本発明の１つの特定の実施形態において、位置決め要素は、簡略化するため、蓋の縁部から下方へ突出して好ましくは容器本体のハンドルに設けられる適切なスロットに係合するように形成される、位置決めラグとして形成することができる。
【０００９】
位置決め要素がごく僅かな遊びを径方向に伴って凹部内に嵌まり込む場合、蓋は、ロック操作の開始のためのその好ましい初期位置を容器本体に対して容易にとることができる。
【００１０】
したがって、位置決め支援としての蓋の位置決め要素を、上側から直接に、または簡略化するため上側から斜めに、上端で開放し且つ容器本体の縁部の領域に位置される凹部内に配置させることができる。蓋が容器本体に対して正しく位置決めされるため、回転閉塞動作中における蓋の任意の傾き、または引っかかりが排除される。しかしながら、取り扱いを容易にするため、位置決め要素を凹部内へ上側から斜めに挿入できることが好ましい。
【００１１】
位置決めラグを受けるためのスロットがストッパを形成するために周方向の一方側で閉じられる場合には、該位置決めラグがストッパに到達するまで、位置決め要素を上側から且つ一方側から凹部内に容易に挿入することができ、その結果、蓋は、ロック操作の開始のために正確な初期位置を容器本体に対して必然的にとる。
【００１２】
視覚的な支援として、適合する表面領域、つまり、例えば着色突起、マーキング、および／または、シンボルを位置決め要素および凹部に設け、それにより、本発明の圧力容器閉塞システムの操作形態を更に明示することもできる。
【００１３】
本発明の更なる目的、特徴、利点、および、想定し得る用途は、添付図面に関連する実施例の以下の説明において明らかにされる。また、記載されおよび／または図示される特徴の全ては、個別に、または任意の組み合わせで、本発明の主題を構成し、また、このことは、それらが個々の請求項に含まれていようが、または先行する請求項に戻って参照しようが関係ない。
【００１４】
図面は以下の通りである。
【図面の簡単な説明】
【００１５】
【図１】位置決め要素の領域における本発明を具現化する圧力容器の部分を概略的に示しており、容器本体および蓋はそれらが互いにロックされる位置にある。
【図２ａ】容器本体および蓋のそれらが互いにロックされる前の位置における部分側面図を示しており、この位置では、位置決め支援の位置決め要素が容器本体のハンドルの凹部内に位置される。
【図２ｂ】容器本体および蓋のそれらが互いにロックされる前の位置における斜視図を示しており、この位置では、位置決め支援の位置決め要素が容器本体のハンドルの凹部内に位置される。
【図３】容器本体のハンドルの領域における容器本体の部分の平面図を示している。
【図４ａ】容器本体のハンドルに設けられて上端へ向けて開放する凹部内に位置決め支援の位置決め要素が斜めに挿入される、容器本体および蓋の断面部の側面図を示している。
【図４ｂ】容器本体のハンドルに設けられて上端へ向けて開放する凹部内に位置決め支援の位置決め要素が略垂直に挿入される、容器本体および蓋の断面部の側面図を示している。
【発明を実施するための形態】
【００１６】
本発明を具現化する圧力容器は、一般に、家庭用圧力鍋または急速調理ポットとして使用される。圧力容器は、容器本体１と、該容器本体上に配置するための蓋２とを備えており、これらは、互いに対してねじることにより、バヨネット式キャッチのラインに沿って構成される外周ロックセグメント（扇形部分）３、４によって互いに取り外し可能にロックさせることができる。容器本体１に対して蓋２をシールするため、蓋２の縁部５および容器本体１の縁部６の領域にはシールリング（図示せず）が存在する。
【００１７】
蓋２を容器本体１と共にロックするための正しい初期位置に至らせるために、蓋２の縁部５には下方に突出する位置決め要素７が設けられ、この位置決め要素は、蓋２が容器本体１に対して正しい位置にあるときに、容器本体１内に形成され且つ上端へ向かって開放する凹部８内に挿入され得る。図示の場合には、位置決め要素７は、蓋の縁部５から下方へ突出する位置決めラグ７’の形状を成す。また、位置決め要素７は径方向の遊びを殆ど伴うことなく凹部８内に嵌まり込み、それにより、蓋２は、容器本体１に対して蓋２をねじることによってロック操作を始めるために、容器本体１に対して適切に中心付けられて固定される。
【００１８】
図示の実施形態では、容器本体１の凹部８は、位置決め要素７、特に位置決めラグ７’を受けるのに適した容器本体のハンドル１１におけるスロット８’の形状を成す。
【００１９】
受けスロット８’は回転方向の一端にストッパ９を有しており、位置決めラグ７’は、それを側方から受けスロット８’内に挿入するときにストッパ９に当接することができ、それにより、ロック操作のための正しい開始位置が確保される。
【００２０】
位置決め要素７の前面および容器本体のハンドル１１には、ロック操作前に蓋２が容器本体１上に配置されるときに更なる案内のために互いに位置合わせされ得る表面領域１０、１０’が、互いに対して割り当てられて設けられる。表面領域１０、１０’は簡単な着色マーキングであってもよい。図示の実施例では、位置決めラグ７’の外側前面に、丸い例えば赤色のマーキング要素が表面領域１０として設けられ、また、容器本体のハンドル１１は、容器本体の縁部６の近傍のその上面に、色合わせされた円形マーキングを有する。
【符号の説明】
【００２１】
１  容器本体
２  蓋
３  外周ロックセグメント（容器本体側）
４  外周ロックセグメント（蓋側）
５  蓋の縁部
６  容器本体の縁部
７、７’  位置決め要素；位置決めラグ
８、８’  凹部；受けスロット
９  ストッパ
１０、１０’  表面領域
１１  容器本体のハンドル
１２  蓋のハンドル
【図１】
2011518630.tif 000003
【図２ａ】
2011518630.tif 000004
【図２ｂ】
2011518630.tif 000005
【図３】
2011518630.tif 000006
【図４ａ】
2011518630.tif 000007
【図４ｂ】
2011518630.tif 000008
【国際調査報告】
2011518630.tif 000009
2011518630.tif 000010